(57)【特許請求の範囲】
【請求項１】
正方形断面容器または、前記正方形断面容器の正方形の対角線の長さより短く一辺の長さより長い直径を有する円形断面容器を収容可能なホルダ穴を本体部に形成し、
前記ホルダ穴の軸直交断面形状は、
前記正方形断面容器の正方形の対角線の長さと等しい直径を有しかつ前記ホルダ穴の中心を中心とした円上に所定角度を置いて設けられた４つの円弧部と、
前記４つの円弧部を連結しかつ前記円形断面容器の外周に接する４つの直線部と、
を有する形状とされていることを特徴とするカップホルダ。
【請求項２】
本体部に隣接して設けられた一対のホルダ穴と、前記一対のホルダ穴を連通させる連結溝部とを有し、
前記一対のホルダ穴および連結溝部からなる横断面形状は、
前記正方形断面容器の正方形の対角線の長さと等しい直径を有しかつ前記ホルダ穴の中心を中心とした円上に所定角度を置いて設けられた４つの円弧部と、
前記連結溝部側を除いた前記円弧部間を連結し、前記円形断面容器の外周に接する３つの直線部と、
前記連結溝部の幅方向の両側に形成され、前記円形断面容器の外周に当接する突起部と、
を有する形状とされていることを特徴とするカップホルダ。
【発明の詳細な説明】
【０００１】
【発明の属する技術分野】
本発明は、飲み物を入れるカップ等を転倒しないように保持するカップホルダに関する。
【０００２】
【従来の技術】
一般に、例えば自動車では、 缶やぺットボトルを載置するカップホルダが設置されている。
【０００３】
従来、このようなカップホルダとして、例えば、特開平１０−８６７３６号公報に開示されたものが知られている。この公報のカップホルダは、固定保持部と可動保持部とにホルダを分割し、可動保持部をスライドさせることでその大きさを変化させるものである。そのため、このカップホルダは、大小各種のサイズの缶飲料や紙パック飲料に広く対応することができ、しかも最小寸法がコンパクトになる。
【０００４】
【発明が解決しようとする課題】
しかしながら、従来のカップホルダでは、例えば、５００ｍｌの正方形断面容器と、５００ｍｌの円形断面容器との両者を保持可能とするために、複数の部品を組み合わせて構成していたので、部品点数が多くなり製作に手間がかかる上、コストも高くなるという問題があった。
【０００５】
本発明は、かかる従来の問題を解決したもので、簡易な構造で正方形断面容器と円形断面容器の両者を収容することができるカップホルダを提供することを目的とする。
【０００６】
【課題を解決するための手段】
請求項１のカップホルダは、正方形断面容器または、前記正方形断面容器の正方形の対角線の長さより短く一辺の長さより長い直径を有する円形断面容器を収容可能なホルダ穴を本体部に形成し、前記ホルダ穴の軸直交断面形状は、前記正方形断面容器の正方形の対角線の長さと等しい直径を有しかつ前記ホルダ穴の中心を中心とした円上に所定角度を置いて設けられた４つの円弧部と、前記４つの円弧部を連結しかつ前記円形断面容器の外周に接する４つの直線部と、を有する形状とされていることを特徴とする。
【０００７】
請求項２のカップホルダは、本体部に隣接して設けられた一対のホルダ穴と、前記一対のホルダ穴を連通させる連結溝部とを有し、前記一対のホルダ穴および連結溝部からなる横断面形状は、前記正方形断面容器の正方形の対角線の長さと等しい直径を有しかつ前記ホルダ穴の中心を中心とした円上に所定角度を置いて設けられた４つの円弧部と、前記連結溝部側を除いた前記円弧部間を連結し、前記円形断面容器の外周に接する３つの直線部と、前記連結溝部の幅方向の両側に形成され、前記円形断面容器の外周に当接する突起部とを有する形状とされていることを特徴とする。
【０００８】
（作用）
請求項１のカップホルダでは、同一のホルダ穴に正方形断面容器または円形断面容器が収容され、保持される。
そして、正方形断面容器は、その四隅をホルダ穴の４つの円弧部と近接してホルダ穴に挿入され、ホルダ穴内に載置される。また、この載置された正方形断面容器は、ホルダ穴の中心からの距離が円弧部の方が直線部よりも長いので、ホルダ穴内を回転されると、円弧部と直線部との境で回転が抑止される。
【０００９】
また、円形断面容器は、その外周をホルダ穴の４つの直線部と近接してホルダ穴に挿入され、ホルダ穴内に載置される。また、この載置された円形断面容器は、円形断面容器の外周が４つの直線部と接しているため、ホルダ穴との位置関係を変えずにホルダ穴内を回転される。
請求項２のカップホルダでは、同一のホルダ穴に正方形断面容器または円形断面容器が収容され、保持される。
【００１０】
そして、正方形断面容器は、その四隅をホルダ穴の４つの円弧部と近接してホルダ穴に挿入され、ホルダ穴内に載置される。また、この載置された正方形断面容器は、ホルダ穴の中心からの距離が円弧部の方が直線部よりも長いので、ホルダ穴内を回転されると、円弧部と直線部との境で回転が抑止される。
また、円形断面容器は、ホルダ穴の３つの直線部および２つの突起部と近接してホルダ穴に挿入され、ホルダ穴内に載置される。また、この載置された円形断面容器は、円形断面容器の外周がホルダ穴の３つの直線部および２つの突起部と接しているため、ホルダ穴との位置関係を変えずにホルダ穴内を回転される。
【００１１】
さらに、一対のホルダ穴を連通させる連結溝部を有しているので、正方形断面容器や円形断面容器をホルダ穴に挿入しない場合には、一方のホルダ穴の一端側の直線部と他方のホルダ穴の他端側のホルダ穴との間隔より短く、かつ連結溝部の幅よりも短いものが挿入可能となる。
【００１２】
【発明の実施の形態】
以下、本発明の実施形態を図面を用いて説明する。
【００１３】
図１および図２は、本発明のカップホルダの第１の実施形態（請求項１に対応する）を示している。
これらの図において符号１１は、樹脂、金属等からなる板状の本体部を示している。
この本体部１１には、ホルダ穴１４が形成されている。このホルダ穴１４は、側面部３０と底面部１７とを有している。この側面部３０と底面部１７とは、例えば、本体部１１が樹脂の場合は、射出成形により本体部１１に一体成形され、金属の場合はプレス加工により本体部１１に一体成形される。そして、このホルダ穴１４は、正方形断面容器１２または円形断面容器１３が収容可能とされている。収容された円形断面容器１３は、正方形断面容器１２の正方形の対角線の長さよりも短く一辺の長さより長い直径を有している。そして、側面部３０の断面形状は、正方形断面容器１２または円形断面容器１３を底面部１７上に載置した場合に、正方形断面容器１２の隅部１９または円形断面容器１３の外周とが近接する形状を有している。ここで、正方形断面容器１２は５００ｍｌ入り紙パックを、円形断面容器１３は５００ｍｌ入りペットボトルを想定している。
【００１４】
また、ホルダ穴１４の軸直交断面形状は、それぞれ４つずつの円弧部１５および直線部１６を有している。円弧部１５は、正方形断面容器１２の正方形の対角線の長さと等しい直径を有しかつホルダ穴１４の中心を中心とした円上に９０度間隔で設けられている。また、直線部１６は、４つの円弧部１５を連結しかつ円形断面容器１３の外周に接している。すなわち、正方形断面容器１２の２つの対角線をＸ軸とＹ軸とした場合、直線部１６の傾きはＸ軸に対して４５度と−４５度であり、また円弧部１５の中点は、Ｘ軸とＹ軸との上にある。
【００１５】
上述した本発明の第１の実施形態のカップホルダでは、ホルダ穴１４に正方形断面容器１２または円形断面容器１３が収容される。
そして、正方形断面容器１２の挿入にあたっては、その四隅を４つの円弧部１５と近接するように、ホルダ穴１４の上側から挿入し、ホルダ穴１４の底面部１７上に載置する。そうすると、正方形断面容器１２を傾けても、その任意の長手方向隅部１９が円弧部１５に当接され、それに対向する長手方向隅部１９も円弧部１５に当接され、ホルダ穴１４との平行が維持される。
【００１６】
また、この正方形断面容器１２が回転しても、ホルダ穴１４の中心からの距離は、円弧部１５の方が直線部１６より長いので、円弧部端１８で回転は止まる。そして、円形断面容器１３の挿入にあたっては、その外周を４つの直線部１６と近接するように、ホルダ穴１４の上側から挿入し、ホルダ穴１４の底面部１７上に載置する。そうすると、円形断面容器１３を傾けても、その外周の一部が直線部１６に当接され、それに対向する外周も直線部１６に当接され、ホルダ穴１４との平行が維持される。
また、この円形断面容器１３が回転しても、円形断面容器１３の外周は、４つの直線部１６と接しているため、ホルダ穴１４との位置関係を変えずにホルダ穴１４内を回転する。
【００１７】
この第１の実施形態のカップホルダでは、ホルダ穴１４の軸直交断面形状が、正方形断面容器１２の長手方向隅部１９を保持する４つの円弧部１５と、円形断面容器１３の外周を保持する４つの直線部１６とを有するので、簡易な構造で同一のホルダ穴１４に正方形断面容器１２と円形断面容器１３とを収容することができる。
【００１８】
また、長方形断面容器２０（例えば、３００ｍｌブリックパック）を、その４つの隅部２１をホルダ穴１４の直線部１６に近接させることで、ホルダ穴１４内に保持することができる。
さらに、このカップホルダは、金属、樹脂等により一体形成されているので、正方形断面容器１２および円形断面容器１３を保持できるカップホルダにおいては、公知であるスライド式のカップホルダのように複数の部品を必要としないから、部品点数を少なくすることができ、製品の原価低減や使用中の故障の低減を図ることができる。
【００１９】
図３および図４は、本発明のカップホルダの第２の実施形態（請求項２に対応する）を示している。
これらの図において符号２２は、樹脂、金属等からなる板状の本体部を示している。
この本体部２２には、隣接して設けられた一対のホルダ穴２３ａ，２３ｂが形成されている。さらに、本体部２２には、ホルダ穴２３ａとホルダ穴２３ｂとを連通させる連結溝部２４が形成されている。また、このホルダ穴２３ａ，２３ｂは、側面部３１と底面部２８とを有している。この側面部３０と底面部１７とは、例えば、本体部１１が樹脂の場合は、射出成形により本体部１１に一体成形され、金属の場合はプレス加工により本体部１１に一体成形される。そして、このホルダ穴２３ａ，２３ｂは、正方形断面容器１２または円形断面容器１３が収容可能とされている。収容された円形断面容器１３は、正方形断面容器１２の正方形の対角線の長さよりも短く一辺の長さより長い直径を有している。そして、側面部３１の断面形状は、正方形断面容器１２または円形断面容器１３を底面部２８上に載置した場合に、正方形断面容器１２の隅部１９または円形断面容器１３の外周とが近接する形状を有している。
【００２０】
また、このホルダ穴２３ａ，２３ｂおよび連結溝部２４からなる横断面形状は、各４つの円弧部２５ａ，２５ｂと各３つの直線部２６ａ，２６ｂと２つの突起部２７とを有している。この円弧部２５ａ，２５ｂは、正方形断面容器１２の正方形の対角線の長さと等しい直径を有しかつホルダ穴２３ａ，２３ｂの中心を中心とした円上に所定角度を置いて設けられている。また、直線部２６ａ，２６ｂは、連結溝部２４側を除いた円弧部２５ａ，２５ｂ間を連結し、かつ円形断面容器１３の外周に接している。また、突起部２７は、連結溝部２４の幅方向の両側に形成され、かつ円形断面容器１３の外周に当接している。
【００２１】
上述した本発明の第２の実施形態のカップホルダでは、ホルダ穴２３ａ，２３ｂに正方形断面容器１２または円形断面容器１３が収容される。
そして、正方形断面容器１２の挿入にあたっては、その四隅を４つの円弧部２５ａ，２５ｂと近接するように、ホルダ穴２３ａ，２３ｂの上側から挿入し、ホルダ穴２３ａ，２３ｂの底面部２８上に載置する。そうすると、正方形断面容器１２を傾けても、その任意の長手方向隅部１９が円弧部２５ａ，２５ｂに当接され、それに対向する長手方向隅部１９も円弧部２５ａ，２５ｂに当接され、ホルダ穴２３ａ，２３ｂとの平行が維持される。
【００２２】
また、この正方形断面容器１２が回転しても、ホルダ穴２３ａ，２３ｂの中心からの距離は、円弧部２５ａ，２５ｂの方が直線部２６ａ，２６ｂより長いので、円弧部端２９で回転は止まる。
そして、円形断面容器１３の挿入にあたっては、その外周を３つの直線部２６ａ，２６ｂおよび２つの突起部２７と近接するように、ホルダ穴２３ａ，２３ｂの上側から挿入し、ホルダ穴２３ａ，２３ｂの底面部２８上に載置する。そうすると、円形断面容器１３を傾けても、その外周の一部が直線部２６ａ，２６ｂまたは突起部２７に当接され、それに対向する外周も直線部２６ａ，２６ｂまたは突起部２７に当接され、ホルダ穴２３ａ，２３ｂとの平行が維持される。
また、この円形断面容器１３が回転しても、円形断面容器１３の外周は、３つの直線部２６ａ，２６ｂおよび２つの突起部２７と接しているため、ホルダ穴２３ａ，２３ｂとの位置関係を変えずにホルダ穴２３ａ，２３ｂ内を回転する。
【００２３】
この第２の実施形態のカップホルダでは、ホルダ穴２３ａ，２３ｂの軸直交断面形状に正方形断面容器１２の長手方向隅部１９を保持する各４つの円弧部２５ａ，２５ｂと、円形断面容器１３の外周を保持する各３つの直線部２６ａ，２６ｂおよび２つの突起部２７とを設けたので、簡易な構造で同一のホルダ穴２３ａ，２３ｂに正方形断面容器１２と円形断面容器１３とを収容し、保持することができる。
【００２４】
また、ホルダ穴２３ａとホルダ穴２３ｂは一対で設けられているので、正方形断面容器１２と円形断面容器１３、２つの正方形断面容器１２、または２つの円形断面容器１３という組み合わせで一度に２つ挿入できる。
また、一対のホルダ穴２３ａ，２３ｂを連通させる連結溝部２４を有しているので、正方形断面容器１２や円形断面容器１３をホルダ穴２３ａ，２３ｂに挿入しない場合には、相対向する直線部２６ａと直線部２６ｂとの間隔より短い長さを有し、かつ連結溝部２４の幅よりも短い厚さを有するものも挿入でき、例えば、ＣＤケース等を挿入することができる。
【００２５】
そして、このカップホルダは、金属、樹脂等により一体形成されているので、正方形断面容器１２および円形断面容器１３を保持できるカップホルダにおいては、公知であるスライド式のカップホルダのように複数の部品を必要としないから、部品点数を少なくすることができ、製品の原価低減や使用中の故障の低減を図ることができる。
【００２６】
なお、上述した実施形態では、連結溝部２４は、直線部２６ａと直線部２６ｂとを対向させて連結することで形成されているが、円弧部２５ａと円弧部２６ｂとを対向させて連結することで形成しても良い。
また、上述した実施形態では、円形断面容器１３の外周面に突起部２７が当接しているが、その突起部２７の当接する部分の表面を粗くしても良い。そして、このような構成にすることにより、円形断面容器１３に振動が伝わったときの円形断面容器１３の回転を抑えることができ、騒音等の不快感を解消することができる。
【００２７】
【発明の効果】
以上述べたように、請求項１のカップホルダでは、ホルダ穴の軸直交断面形状が、正方形断面容器の長手方向隅部を保持する４つの円弧部と、円形断面容器の外周を保持する４つの直線部とを有するので、簡易な構造で同一のホルダ穴に正方形断面容器と円形断面容器とを収容し、保持することができる。
【００２８】
また、一つのホルダ穴に正方形断面容器および円形断面容器用の穴を形成したので、公知であるスライド式のカップホルダのように複数の部品を必要としないから、部品点数を少なくすることができ、製品の原価低減や使用中の故障の低減を図ることができる。
請求項２のカップホルダでは、それぞれのホルダ穴の軸直交断面形状が、正方形断面容器の長手方向隅部を保持する４つの円弧部と、円形断面容器の外周を保持する３つの直線部および２つの突起部とを有するので、簡易な構造で同一のホルダ穴に正方形断面容器と円形断面容器とを収容し、保持することができる。
【００２９】
また、一つのホルダ穴に正方形断面容器および円形断面容器用の穴を形成したので、公知であるスライド式のカップホルダのように複数の部品を必要としないから、部品点数を少なくすることができ、製品の原価低減や使用中の故障の低減を図ることができる。
【図面の簡単な説明】
【図１】本発明のカップホルダの第１の実施形態を示す上面図である。
【図２】図１のII−II線に沿う断面図である。
【図３】本発明のカップホルダの第２の実施形態を示す上面図である。
【図４】図３のIII−III線に沿う断面図である。
【符号の説明】
１１，２２  本体部
１２  正方形断面容器
１３  円形断面容器
１４，２３ａ，２３ｂ  ホルダ穴
１５，２５ａ，２５ｂ  円弧部
１６，２６ａ，２６ｂ  直線部
２４  連結溝部
２７  突起部
【図１】
0003987714.tif 000002
【図２】
0003987714.tif 000003
【図３】
0003987714.tif 000004
【図４】
0003987714.tif 000005